(57)【要約】【課題】デジタルカメラ等の撮像装置を用いて撮像を行う際に、撮像装置の測距機能を用いることなく撮像装置と被写体との間の距離を測定して、撮像に用いる。【解決手段】デジタルカメラ１の無線通信部３３から測距用のパイロット信号を携帯電話２に送信する。携帯電話２の無線通信部２７はパイロット信号を受信すると、同様のパイロット信号をデジタルカメラ１に送信する。デジタルカメラ１の測距部１７は、受信したパイロット信号と送信したパイロット信号との遅延時間に基づいて、デジタルカメラ１と携帯電話２との距離を算出する。撮像条件設定部１８は算出された距離に基づいて撮像条件を設定し、この撮像条件に基づいて撮像部１１が撮像を行い画像データを取得する。【選択図】          図１
2004180213.tif 000002
【特許請求の範囲】
【請求項１】
撮像により画像データを取得する撮像手段と、
無線よるデータ通信を行う無線通信手段と、
該無線通信手段に、被写体が所持する端末装置との間でデータ通信を行わせて、前記撮像手段と前記被写体との間の距離を測定する距離測定手段と、
該距離測定手段が測定した距離に基づいて撮像時の撮像条件を設定する撮像条件設定手段とを備えたことを特徴とする撮像装置。
【請求項２】
前記撮像条件に基づいて、前記画像データに対して画像処理を施す画像処理手段をさらに備えたことを特徴とする請求項１記載の撮像装置。
【請求項３】
前記無線通信手段により、撮像しようとする被写体が所持する端末装置に撮像装置自身を特定する撮像装置情報を送信する撮像装置情報送信手段をさらに備えたことを特徴とする請求項１または２記載の撮像装置。
【請求項４】
前記無線通信手段により、前記端末装置から送信された該端末装置を特定する端末情報を取得する端末情報取得手段をさらに備えたことを特徴とする請求項１または２記載の撮像装置。
【発明の詳細な説明】
【０００１】
【発明の属する技術分野】
本発明は、被写体を撮像して画像データを取得する撮像装置に関するものである。
【０００２】
【従来の技術】
デジタルカメラ等の撮像装置を遠隔操作して撮像を行うシステムが知られているが、カメラ付き携帯電話の撮影角度、ズーム機能、フォーカス機能等をリモコン装置により遠隔操作して、遠隔地にあるカメラ付き携帯電話が撮像した被写体の画像をリモコン装置に表示するシステムが提案されている（特許文献１参照）。このようなシステムによれば、リモコン装置により遠隔地にあるカメラ付き携帯電話を操作することにより、所望とする被写体の画像をリモコン装置に表示することができる。
【０００３】
一方、ブルートゥース等の近距離無線インターフェースにより通信可能な２台の端末装置間の距離を測定するシステムが提案されている（特許文献２参照）。このシステムによれば、端末装置が取得するＧＰＳ衛星からの測位用電波に基づいて端末装置間の距離を測定することにより、端末装置同士が近距離通信可能か否かを判定することができる。
【０００４】
【特許文献１】
特開２００２−５０９９９号公報
【０００５】
【特許文献１】
特開２００１−３５９１４３号公報
【０００６】
【発明が解決しようとする課題】
しかしながら、特許文献１に記載されたシステムにおいては、遠隔操作によりカメラ付き携帯電話のフォーカスを調整することができるものの、フォーカスを遠隔操作しなければカメラ付き携帯電話と被写体との間の距離の測定をカメラが有する測距機能を用いてカメラ自身が行って、その結果に基づいてカメラ自身がフォーカスを行うものである。したがって、遠隔地にあるリモコン装置は、カメラ付き携帯電話を操作するためにのみ用いられることとなる。
【０００７】
また、特許文献２に記載されたシステムは、２台の端末装置間の距離を測定して近距離通信可能であるか否かを判定するものであり、その距離に基づいてカメラのフォーカス、撮像等の処理を行うものではない。
【０００８】
本発明は上記事情に鑑みなされたものであり、デジタルカメラ等の撮像装置を用いて撮像を行う際に、撮像装置の測距機能を用いることなく撮像装置と被写体との間の距離を測定して、撮像に用いるようにすることを目的とする。
【０００９】
【課題を解決するための手段】
本発明による撮像装置は、撮像により画像データを取得する撮像手段と、
無線よるデータ通信を行う無線通信手段と、
該無線通信手段に、被写体が所持する端末装置との間でデータ通信を行わせて、前記撮像手段と前記被写体との間の距離を測定する距離測定手段と、
該距離測定手段が測定した距離に基づいて撮像時の撮像条件を設定する撮像条件設定手段とを備えたことを特徴とするものである。
【００１０】
「無線通信手段」としては、無線ＬＡＮ、ブルートゥースなどの近距離通信を行う手段、ＵＷＢ（Ｕｌｔｒａ  Ｗｉｄｅ  Ｂａｎｄ）等、無線より距離を測定するためのデータ通信を行うことが可能な手段であれば、いかなる手段をも用いることができる。
【００１１】
「撮像条件」とは、距離測定手段が測定した距離に基づいて設定されるものであり、具体的にはフォーカス値、ストロボ発光の有無並びに距離および撮像手段におけるズーム値に基づく、撮像した画像データにより表される画像に含まれる顔等の被写体の大きさ等、撮像により取得された画像データにより表される画像の画質を向上させることに使用可能な種々の条件を用いることができる。
【００１２】
なお、本発明による撮像装置においては、前記撮像条件に基づいて、前記画像データに対して画像処理を施す画像処理手段をさらに備えるようにしてもよい。
【００１３】
また、本発明による撮像装置においては、前記無線通信手段により、撮像しようとする被写体が所持する端末装置に撮像装置自身を特定する撮像装置情報を送信する撮像装置情報送信手段をさらに備えるものとしてもよい。
【００１４】
「撮像装置情報」とは、端末装置を所持する被写体を撮像しようとしている撮像装置を特定することが可能な撮像装置に固有の情報であり、例えば、撮像装置の機種名および撮像装置の所持者の氏名等を用いることができる。
【００１５】
また、本発明による撮像装置においては、前記無線通信手段により、前記端末装置から送信された該端末装置を特定する端末情報を取得する端末情報取得手段をさらに備えるようにしてもよい。
【００１６】
「端末情報」とは、撮像しようとする被写体が所持する端末装置を特定することが可能な端末装置に固有の情報であり、例えば、端末装置の機種名、端末装置を所持する者の氏名および端末装置が携帯電話である場合には電話番号等を用いることができる。
【００１７】
【発明の効果】
本発明によれば、距離測定手段が、無線通信手段に被写体が所持する端末装置との間でデータ通信を行わせ、撮像手段と端末情報すなわち本発明による撮像装置と被写体との距離を測定する。そして、測定された距離に基づいて撮像条件設定手段が撮像条件を設定する。このため、撮像装置の測距機能を用いることなく撮像装置と被写体との間の距離を測定することができ、また、測定された距離に基づいて撮像により取得された画像データにより表される画像の画質を向上させることが可能な撮像条件を得ることができる。
【００１８】
また、撮像条件に基づいて、画像処理手段により画像データに対して画像処理を施すことにより、被写体と撮像手段との間の距離に応じた適切な画像処理が施された高画質の画像を得ることができる。
【００１９】
また、撮像装置情報送信手段を設け、撮像装置自身を特定する撮像装置情報を、撮像しようとする被写体が所持する端末装置に送信することにより、例えば撮像装置の前に大勢の人物がいてその各々が端末装置を所持している場合において、撮像しようとする被写体が所持する端末装置に撮像装置情報を送信することにより、その端末装置に送信された撮像装置情報に基づいて、その端末装置の所持者は撮像装置が自信を撮像しようとしていることを認識することができる。したがって、間違いなく自身を撮像装置に撮像させることができる。
【００２０】
また、無線通信手段により端末装置を特定する端末情報を取得することにより、端末情報に基づいて撮像しようとする被写体を特定することができる。このため、例えば撮像装置の前に大勢の人物がいてその各々が端末装置を所持している場合において、端末情報を取得した端末装置を所持する被写体を撮像すべき被写体と特定することができる。したがって、その人物を追従することにより、間違いなくその人物を撮像することができる。
【００２１】
【発明の実施の形態】
以下図面を参照して本発明の実施形態について説明する。図１は本発明の実施形態による撮像装置を備えた撮像システムの構成を示す概略ブロック図である。図１に示すように本発明の実施形態による撮像システムは、デジタルカメラ１と被写体となるユーザが所持する携帯電話２との間でデータ通信を行ってデジタルカメラ１において被写体を撮像するものである。
【００２２】
デジタルカメラ１は、撮像により被写体の画像を表す画像データＳ０を取得する撮像部１１と、デジタルカメラ１全体の制御を行うとともに画像データＳ０を含む種々の情報の記録制御、通信制御、表示制御等を行う制御部１２と、撮像部１１が取得した画像データＳ０に対して画像処理を施して処理済みの画像データＳ１を得る画像処理部１３と、表示のために画像データＳ１を一時的に保存するフレームメモリ１４と、画像データＳ１等種々の情報を表示する液晶モニタ１５と、レリーズボタン、送信ボタン、十字キー等を有する操作部１６と、後述するようにデジタルカメラ１と携帯電話２との間の距離を測定する測距部１７と、測距部１７が測定した距離に基づいて、後述する撮像条件を設定する撮像条件設定部１８と、画像データＳ１を記憶するメモリカード５を装填するためのカードインターフェース１９と、後述するように携帯電話２と無線によるデータ通信を行う無線通信部３３とを備える。
【００２３】
撮像部１１は、撮影レンズ、ズーム機構、シャッタおよびＣＣＤ等を有し、シャッタの駆動により被写体を撮像して被写体の画像を表す画像データＳ０を得る。
【００２４】
制御部１２は、デジタルカメラ１全体の制御を行うとともに画像データＳ０を含む種々の情報の記録制御、通信制御、表示制御を行う。
【００２５】
また、制御部１２は、デジタルカメラ１の動作モードをリモコンモードまたは被写体検知モードに設定する。リモコンモードは、被写体となる被写体ユーザが所持する携帯電話２からの指示により被写体ユーザの撮像をデジタルカメラ１に行わせるモードであり、被写体検知モードは、携帯電話２を所持する被写体ユーザを特定してデジタルカメラ１がデジタルカメラ１を所持する撮像ユーザに操作されることにより撮像を行うモードである。
【００２６】
リモコンモードは被写体ユーザが所持する携帯電話２からの指示により設定される。また、リモコンモードの場合は、制御部１２はデジタルカメラ１を特定するデジタルカメラ情報（例えばデジタルカメラ１の機種名および所持者名）を、被写体ユーザが所持する携帯電話２に送信する。被写体ユーザはデジタルカメラ情報を参照することにより、デジタルカメラ１が自身を撮像しようとしていることを認識できる。なお、デジタルカメラ１が向きを変更可能な支持台に支持されている場合には、携帯電話２からの指示により、被写体ユーザの動きに追従するようにデジタルカメラ１の向きを変更してもよい。
【００２７】
なお、リモコンモードの場合には、制御部１２は、撮像部１１が取得した画像データＳ０のサムネイル画像データＳＭを生成し、サムネイル画像データＳＭを携帯電話２に無線通信部３３を介して送信する。このサムネイル画像データＳＭの送信は、撮像される画像を携帯電話２においてモニタするために用いられるものであり、例えば１／１０秒程度の所定時間間隔にて撮像部１１から画像データＳ０を取得して、サムネイル画像データＳＭを生成してこれを携帯電話２に送信する。このため、携帯電話２においては動画のようにサムネイル画像データＳＭが表示される。
【００２８】
被写体検知モードは撮像ユーザが操作部１６からその旨を入力することにより設定されるものであり、被写体検知モードに設定する旨の情報が携帯電話２にも送信される。また、被写体検知モードの場合は、制御部１２は、被写体ユーザが所持する携帯電話２から送信されるその携帯電話２を特定する携帯電話情報（例えば機種名、所持者名）を液晶モニタ１５に表示する。これにより、撮像ユーザは、撮像を行おうとする被写体ユーザを特定することができる。
【００２９】
画像処理部１３は画像データＳ０に対して、色変換処理、階調変換処理、シャープネス処理、ホワイトバランス調整処理、濃度変換処理等の画質を向上させるための種々の画像処理を施して処理済みの画像データＳ１を得る。また、撮像条件設定部１８において取得された撮像条件にも基づいて、画像データＳ０に対して画像処理を施して処理済みの画像データＳ１を得る。
【００３０】
測距部１７は、後述するようにしてデジタルカメラ１と携帯電話２との間の距離、すなわちデジタルカメラ１と被写体との間の距離を測定する。
【００３１】
撮像条件設定部１８は、測距部１７が測定したデジタルカメラ１と被写体との間の距離に基づいて撮像条件を設定する。撮像条件設定部１８が設定する撮像条件とは、距離に基づくフォーカス値、距離がストロボが届く範囲か否かを判定することに基づくストロボオン・オフの設定値等、撮像時に用いられる条件の他、画像データＳ０に対する画像処理に用いられる条件も含む。
【００３２】
ここで、デジタルカメラ１と被写体との間の距離とともに、撮像部１１におけるズーム倍率が分かると、画像データＳ０により表される画像中に含まれる人物の顔のサイズが概ね分かる。このため、顔の肌色を適切なものとするための画像処理を施すために、顔を抽出する際に必要なテンプレート（例えば顔抽出のためのワイヤーフレーム）のサイズを決定することができ、これにより、肌色を適切な色とする処理に必要な顔の画像データを容易に抽出できる。このため、本実施形態においては撮像条件設定部１８において顔のサイズを撮像条件として設定する。
【００３３】
無線通信部３３は、ブルートゥースのような近距離無線、無線ＬＡＮ等により携帯電話２とデータ通信を行うものであるが、本実施形態においては無線ＬＡＮによりデータ通信を行うものとする。なお、無線ＬＡＮの規格としては、ＩＥＥＥ８０２．１１ｂ、１１ａの他、ＵＷＢ（Ｕｌｔｒａ  Ｗｉｄｅ  Ｂａｎｄ）等を用いることができ、データ転送速度は１１Ｍｂｂｓ〜数十Ｍｂｂｓのものである。また、データ通信可能な範囲は数十メートルである。
【００３４】
デジタルカメラ１のユーザは、撮像により取得した画像データ（画像処理部１３において画像処理が行われるため処理済みの画像データＳ１）を液晶モニタ１５に表示して観察できる。また、画像データＳ１はカードインターフェース１９を介してメモリカード５に保存される。
【００３５】
携帯電話２は、通話や電子メールの送信を行うための通信部２１と、種々の表示を行う液晶モニタ２２と、テンキー、通話開始ボタン、通話切断ボタン、十字キー等を備える操作部２３と、液晶モニタ２２に表示する画像データ等を一時的に保存するフレームメモリ２４と、液晶モニタ２２に画像データを表示する際の再生に必要な処理を行う再生処理部２５と、携帯電話２全体の制御を行うとともに種々の情報の記録制御、通信制御、表示制御等を行う制御部２６と、デジタルカメラ１と無線によるデータ通信を行う無線通信部２７とを備える。
【００３６】
無線通信部２７は、デジタルカメラ１の無線通信部３３と同様の規格を有する。
【００３７】
制御部２６は、被写体ユーザによる操作部２３からの指示により、携帯電話２の動作モードをリモコンモードに設定するとともに、デジタルカメラ１をリモコンモードに設定するための指示情報を無線通信部２７を介してデジタルカメラ１に送信する。一方、デジタルカメラ１の動作モードが被写体検知モードに設定された場合には、デジタルカメラ１の無線通信部３３から送信された指示情報に基づいて携帯電話２の動作モードを被写体検知モードに設定する。
【００３８】
ここで、デジタルカメラ１の測距部１７において行われる処理について説明する。なお、この処理は例えば特表２００２−５１７００１号公報に記載された方法を用いることができる。以下、この方法について説明する。測距部１７は撮像する被写体ユーザが特定されると、その被写体ユーザが所持する携帯電話２に無線通信部３３を介して距離測定のためのパイロット信号Ｐ１を送信する。図２（ａ）はパイロット信号Ｐ１の波形を示す図である。無線通信部３３が送信したパイロット信号Ｐ１は携帯電話２の無線通信部２７が受信する。図２（ｂ）は無線通信部２７が受信したパイロット信号Ｐ１の波形を示す図である。図２（ｂ）に示すように無線通信部２７が受信したパイロット信号Ｐ１は、デジタルカメラ１と携帯電話２との間の距離に応じて、無線通信部３３から送信された直後とはΔｔ１遅延したものとなる。
【００３９】
無線通信部２７はパイロット信号Ｐ１を受信するとパイロット信号Ｐ１と同様の波形のパイロット信号Ｐ３をデジタルカメラ１に送信する。図２（ｃ）はパイロット信号Ｐ３の波形を示す図である。図２（ｃ）に示すようにパイロット信号Ｐ３は、無線通信部３３から送信された直後とはΔｔ１遅延するとともに、無線通信部２７が送信のための処理を行う時間であるΔｔ２遅延する。
【００４０】
無線通信部２７が送信したパイロット信号Ｐ３はデジタルカメラ１の無線通信部３３が受信する。図２（ｄ）は無線通信部３３が受信したパイロット信号Ｐ３の波形を示す図である。図２（ｄ）に示すように無線通信部３３が受信したパイロット信号Ｐ３は、デジタルカメラ１と携帯電話２との間の距離に応じて、無線通信部２７から送信された直後とはΔｔ３遅延したものとなる。
【００４１】
したがって、無線通信部３３がパイロット信号Ｐ１を送信してから、無線通信部２７が送信したパイロット信号Ｐ３を受信するまで、Δｔ１＋Δｔ２＋Δｔ３（＝ΔＴとする）遅延することとなる。なお、厳密に言うと、上記遅延時間Δｔ２は無線通信部２７が行う処理による遅延時間であり、デジタルカメラ１と携帯電話２との距離に拘わらず一定の値となるものである。このため、測距部１７は携帯電話２の機種に応じた遅延時間Δｔ２を情報を予め記憶しており、測距時には、遅延時間ΔＴを計測し、遅延時間ΔＴから機種に応じた遅延時間Δｔ２を減算し、パイロット信号Ｐ１，Ｐ３の伝搬速度に（ΔＴ−Δｔ２）を乗算してデジタルカメラ１と携帯電話２との距離を算出する。
【００４２】
次いで、本実施形態において行われる処理について説明する。図３は本実施形態においてリモコンモード時に行われる処理を示すフローチャートである。まず、携帯電話２の制御部２６は、携帯電話２の所持者である被写体ユーザが操作部２３から入力する情報に基づいて携帯電話２の動作をリモコンモードに設定する（ステップＳ１）。次いで、リモコンモードに設定する旨の指示情報を、携帯電話２の機種情報とともに無線通信部２７を介してデジタルカメラ１に送信する（ステップＳ２）。
【００４３】
デジタルカメラ１の制御部１２は、携帯電話２が送信した指示情報に基づいてデジタルカメラ１の動作モードをリモコンモードに設定する（ステップＳ３）。そして、制御部１２は、撮像部１１が撮像中の画像データＳ０のサムネイル画像データＳＭを生成し（ステップＳ４）、デジタルカメラ１を特定するデジタルカメラ情報（デジタルカメラの機種名および所持者名）をサムネイル画像データＳＭとともに、指示情報を送信した携帯電話２に送信する（ステップＳ５）。
【００４４】
携帯電話２の制御部２６は、デジタルカメラ１が送信したサムネイル画像データＳＭおよびデジタルカメラ情報を液晶モニタ２２に表示する（ステップＳ６）。図４は液晶モニタ２２に表示されたサムネイル画像データＳＭおよびデジタルカメラ情報を示す図である。図４に示すように、液晶モニタ２２には、デジタルカメラ１が撮像しようとしている画像のサムネイル画像と、デジタルカメラ１を特定するデジタルカメラ情報（デジタルカメラの機種名および所持者名）とが表示される。
【００４５】
その一方で、デジタルカメラ１の測距部１７は無線通信部３３からパイロット信号Ｐ１を送信する（ステップＳ７）。携帯電話２の無線通信部２７はパイロット信号Ｐ１を受信し（ステップＳ８）、パイロット信号Ｐ３を送信する（ステップＳ９）。デジタルカメラ１の無線通信部３３はパイロット信号Ｐ３を受信する（ステップＳ１０）。測距部１７は送信したパイロット信号Ｐ１と受信したパイロット信号Ｐ３との遅延時間ΔＴを計測し、携帯電話２の機種に応じた遅延時間Δｔ２を遅延時間ΔＴから減算してパイロット信号Ｐ１，Ｐ３の伝搬速度を乗算することにより、デジタルカメラ１と携帯電話２との距離を算出する（ステップＳ１１）。そして、ステップＳ４に戻り、ステップＳ４からステップＳ１１の処理を繰り返す。なお、距離の算出後は算出された距離を携帯電話２に送信して、携帯電話２の液晶モニタ２２にデジタルカメラ１と携帯電話２との距離を表示することが好ましい。
【００４６】
一方、携帯電話２の制御部２６は、被写体ユーザが操作部２３を操作して撮像の指示を行ったか否かを監視し（ステップＳ１２）、ステップＳ１２が肯定されると、デジタルカメラ１に撮像の指示を行う撮像指示情報を送信する（ステップＳ１３）。
【００４７】
デジタルカメラ１の制御部１２は、撮像指示情報を受信すると、測距部１７が算出した距離に基づいて撮像条件設定部１８が撮像条件を設定し（ステップＳ１４）、設定した撮像条件に基づいて制御部１２が撮像部１１を駆動して撮像を行って画像データＳ０を取得する（ステップＳ１５）。画像データＳ０を取得すると、撮像条件設定部１８が設定した撮像条件に基づいて画像処理部１３が画像データＳ０に画像処理を施して処理済み画像データＳ１を取得し（ステップＳ１６）、画像データＳ１をメモリカード５に保存し（ステップＳ１７）、処理を終了する。
【００４８】
なお、画像データＳ１をメモリカード５に保存するのに代えて、無線通信部３３を介してデジタルカメラ１の近傍にあるホットスポット経由で画像データＳ１を保管する画像サーバに送信し、被写体となったユーザが後にパソコンを用いて画像サーバにアクセスして画像データＳ１を閲覧できるようにしてもよい。
【００４９】
図５は本実施形態において被写体検知モード時に行われる処理を示すフローチャートである。デジタルカメラ１の制御部１２は、デジタルカメラ１の所持者である撮像ユーザが操作部１６から入力する情報に基づいて、デジタルカメラ１の動作モードを被写体検知モードに設定する（ステップＳ２１）。次いで、被写体検知モードに設定する旨の指示情報を、無線通信部３３を介して携帯電話２に送信する（ステップＳ２２）。
【００５０】
携帯電話２の制御部２６は、デジタルカメラ１が送信した指示情報に基づいて携帯電話２の動作モードを被写体検知モードに設定する（ステップＳ２３）。そして、携帯電話２を特定する携帯電話情報（携帯電話の機種名および所持者名）を指示情報を送信したデジタルカメラ１に送信する（ステップＳ２４）。
【００５１】
デジタルカメラ１の制御部１２は、携帯電話２が送信した携帯電話情報を、撮像部１１が撮像しようとする画像とともに液晶モニタ１５に表示する（ステップＳ２５）。図６は液晶モニタ１５に表示された画像および携帯電話情報を示す図である。図６に示すように、液晶モニタ１５には撮像部１１が撮像しようとする画像と携帯電話情報（携帯電話の機種名および所持者名）とが表示される。
【００５２】
その一方で、デジタルカメラ１の測距部１７は無線通信部３３からパイロット信号Ｐ１を送信する（ステップＳ２６）。携帯電話２の無線通信部２７はパイロット信号Ｐ１を受信し（ステップＳ２７）、パイロット信号Ｐ３を送信する（ステップＳ２８）。デジタルカメラ１の無線通信部３３はパイロット信号Ｐ３を受信する（ステップＳ２９）。測距部１７は送信したパイロット信号Ｐ１と受信したパイロット信号Ｐ３との遅延時間ΔＴを計測し、携帯電話２の機種に応じた遅延時間Δｔ２を遅延時間ΔＴから減算してパイロット信号Ｐ１，Ｐ３の伝搬速度を乗算することにより、デジタルカメラ１と携帯電話２との距離を算出する（ステップＳ３０）。なお、距離の算出後は算出された距離を液晶モニタ１５に表示することが好ましい。
【００５３】
そして、デジタルカメラ１の制御部１２は操作部１６に含まれるレリーズボタンが撮像ユーザに押下されたか否かを判定し（ステップＳ３１）、ステップＳ３１が否定されるとステップＳ２６に戻り、ステップＳ２６からステップＳ３１の処理を繰り返す。ステップＳ３１が肯定されると、測距部１７が算出した距離に基づいて撮像条件設定部１８が撮像条件を設定し（ステップＳ３２）、撮像条件設定部１８が設定した撮像条件に基づいて制御部１２が撮像部１１を駆動して撮像を行って画像データＳ０を取得する（ステップＳ３３）。画像データＳ０を取得すると、撮像条件設定部１８が設定した撮像条件に基づいて画像処理部１３が画像データＳ０に画像処理を施して処理済み画像データＳ１を取得し（ステップＳ３４）、画像データＳ１をメモリカード５に保存し（ステップＳ３５）、処理を終了する。
【００５４】
なお、画像データＳ１をメモリカード５に保存するのに代えて、無線通信部３３を介してデジタルカメラ１の近傍にあるホットスポット経由で画像データＳ１を保管する画像サーバに送信し、被写体となったユーザが後でパソコンを用いて画像サーバにアクセスして画像データＳ１を閲覧できるようにしてもよい。
【００５５】
このように、本実施形態においては、測距部１７が無線通信部３３に被写体ユーザが所持する携帯電話２との間でデータ通信を行わせ、デジタルカメラ１と携帯電話２との距離を測定し、測定した距離に基づいて撮像条件設定部１８が撮像条件を設定するようにしたものである。このため、デジタルカメラ１の測距機能を用いることなくデジタルカメラ１と携帯電話２との距離距離を測定することができ、また、測定された距離に基づいて撮像により取得された画像データＳ０により表される画像の画質を向上させることが可能な撮像条件を得ることができる。
【００５６】
また、撮像条件に基づいて、画像処理部１３により画像データＳ０に対して画像処理を施すようにしたため、デジタルカメラ１と携帯電話２との距離に基づいて適切な画像処理が施された高画質の画像を得ることができる。
【００５７】
また、リモコンモード時には、デジタルカメラ１を特定するデジタルカメラ情報を、撮像しようとする被写体ユーザが所持する携帯電話２に送信するようにしたため、例えばデジタルカメラ１の前に大勢の人物がいてその各々が携帯電話２を所持している場合においても、携帯電話２を所持する被写体ユーザは携帯電話２に送信されたデジタルカメラ情報に基づいて、デジタルカメラ１が自信を撮像しようとしていることを認識することができる。したがって、間違いなく被写体ユーザをデジタルカメラ１に撮像させることができる。
【００５８】
また、被写体検知モード時には、携帯電話２を特定する携帯電話情報を取得し、携帯電話情報に基づいて被写体ユーザを特定するようにすれば、例えばデジタルカメラ１の前に大勢の人物がいてその各々が携帯電話２を所持している場合において、携帯電話情報に基づいて撮像すべき被写体ユーザを特定することができる。したがって、その被写体ユーザを追従することにより、間違いなくその被写体ユーザを撮像することができる。
【００５９】
なお、上記実施形態においては、被写体が所持する携帯電話２とデジタルカメラ１との間の距離を測定しているが、被写体が所持する端末装置は携帯電話２に限定されるものではなく、ＰＤＡやデジタルカメラ１との距離を測定するに特化した専用の端末装置であってもよい。
【００６０】
また、上記実施形態においては、撮像条件に基づいて画像データＳ０に対して画像処理を施しているが、画像データＳ０に撮像条件を付与して画像処理を施すことなくメモリカード５に保存してもよい。この場合、画像データＳ０を再生する際に画像データＳ０に付与された撮像条件に基づいて画像処理を施すことができる。
【図面の簡単な説明】
【図１】本発明の実施形態による撮像装置を備えた撮像システムの構成を示す概略ブロック図
【図２】距離の測定を説明するための図
【図３】リモコンモード時に行われる処理を示すフローチャート
【図４】携帯電話の液晶モニタの表示状態を示す図
【図５】被写体検知モード時に行われる処理を示すフローチャート
【図６】デジタルカメラの液晶モニタの表示状態を示す図
【符号の説明】
１    デジタルカメラ
２    携帯電話
１１    撮像部
１２，２６    制御部
１３    画像処理部
１４，２４    フレームメモリ
１５，２２    液晶モニタ
１６，２３    操作部
１７    測距部
１８    撮像条件設定部
１９    カードインターフェース
２１    通信部
２５    再生処理部
２７，３３    無線通信部
【図１】
2004180213.tif 000003
【図２】
2004180213.tif 000004
【図３】
2004180213.tif 000005
【図４】
2004180213.tif 000006
【図５】
2004180213.tif 000007
【図６】
2004180213.tif 000008